(57)【要約】【課題】不具合発生時の早急な不具合箇所の選別、非対象箇所への影響の確認及び動作確認の試験工程を簡略化できるとともに、装置設置時における自立した診断機能を実現する。【解決手段】所定のテストデータを保存する保存部１１と、送信データ又はテストデータを選択し、選択したデータを出力するセレクタ１２と、セレクタ１２で出力されたデータを変調し送信信号を生成する送信処理部１３と、受信信号又は送信処理部１３で変調された送信信号を選択し、選択した信号を出力する折返し部１７と、折返し部１７で出力された信号を復調し、受信データを生成する受信処理部１８と、セレクタ１２がテストデータを選択した場合、受信処理部１８から出力された受信データを、保存部１１から読み出したテストデータと照合するビットエラー測定部１９とを備える信号処理装置１。【選択図】図１
2012044432.tif 000002
【特許請求の範囲】
【請求項１】
所定のテストデータを保存する保存部と、
送信データ又は前記テストデータを選択し、選択したデータを出力するセレクタと、
前記セレクタで出力されたデータを変調し送信信号を生成する送信処理部と、
受信信号又は前記送信処理部で変調された前記送信信号を選択し、選択した信号を出力する折返し部と、
前記折返し部で出力された前記信号を復調し、受信データを生成する受信処理部と、
前記セレクタがテストデータを選択した場合、前記受信処理部から出力された受信データを、前記保存部から読み出したテストデータと照合するビットエラー測定部と
を備える信号処理装置。
【発明の詳細な説明】
【技術分野】
【０００１】
本発明は、送受信機能が搭載された信号処理装置に関する。
【背景技術】
【０００２】
送受信機能を搭載する信号処理装置は、種々の試験フェーズにより動作が正常か否かが評価される。この評価は、主に、シミュレーションによる装置単体での試験、実機における複数の装置の結合試験、システム試験、出荷時における動作確認試験、不具合発生時の再現試験等の各試験フェーズを段階的に実行することにより行われている。
【０００３】
関連のある技術として、以下の文献が開示されている。
【先行技術文献】
【特許文献】
【０００４】
【特許文献１】特開２００２−２３２４３２号公報
【発明の概要】
【発明が解決しようとする課題】
【０００５】
しかし、従来の評価では各試験フェーズに連動性がなく、各試験フェーズで各々異なるテストパターン（試験項目）の評価が行われていた。また、送受信機に不具合が発生した場合、試験フェーズを前段階に戻して再現試験を行い、不具合を修正し、不具合確認試験パターンを作成し、不具合が解消されたことを確認していた。さらに、従来の評価では、送信機の送信機能と受信機の受信機能とを各々別々のテストパターンにより不具合が解消されたか否かを確認していた。
【０００６】
このため、例えばシステム試験で不具合が発生した場合、早急な不具合箇所の選別、不具合箇所の修正及び確認に加え、非対象箇所への影響の有無を確認する影響確認試験を行う必要があり、影響確認試験の試験工程の簡略化が求められている。また、装置を出荷した後の動作確認試験工程に関しても簡略化が求められている。
【０００７】
更に、近年３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、ＳＯＮ（Ｓｅｌｆ  Ｏｒｇａｎｉｚｉｎｇ  Ｎｅｔｗｏｒｋ）への対応が明確化されており、無線装置についても設置時における自己設定等の対応が求められている。なお、ＳＯＮとは、ネットワークを自立的に最適化する技術のことであり、無線基地局を効率的に構築、運用する為の技術の総称である。
【０００８】
本発明は上述した問題点を解決するためになされたものであり、不具合発生時の早急な不具合箇所の選別、非対象箇所への影響の確認及び動作確認の試験工程を簡略化できるとともに、装置設置時における自立した診断機能を実現することを目的とする。
【課題を解決するための手段】
【０００９】
上述した課題を解決するため、本発明の信号処理装置は、所定のテストデータを保存する保存部と、送信データ又は前記テストデータを選択し、選択したデータを出力するセレクタと、前記セレクタで出力されたデータを変調し送信信号を生成する送信処理部と、受信信号又は前記送信処理部で変調された前記送信信号を選択し、選択した信号を出力する折返し部と、前記折返し部で出力された前記信号を復調し、受信データを生成する受信処理部と、前記セレクタがテストデータを選択した場合、前記受信処理部から出力された受信データを、前記保存部から読み出したテストデータと照合するビットエラー測定部とを備える。
【発明の効果】
【００１０】
不具合発生時の早急な不具合箇所の選別、非対象箇所への影響の確認及び動作確認の試験工程を簡略化できるとともに、装置設置時における自立した診断機能を実現することができる。
【図面の簡単な説明】
【００１１】
【図１】本実施の形態に係る信号処理装置の機能ブロック図である
【図２】本実施の形態に係る信号処理装置の通常時の伝送経路を示す図である。
【図３】本実施の形態に係る信号処理装置のテストモード時の伝送経路を示す図である。
【発明を実施するための形態】
【００１２】
本実施の形態に係る信号処理装置１について説明する。以下で説明する実施の形態では、信号処理装置１が無線装置に搭載されている態様について説明する。
【００１３】
図１は、本実施の形態に係る信号処理装置１の機能ブロック図である。信号処理装置１は、評価メモリ（保存部）１１、セレクタ１２、送信処理部１３、送信ＤＡＣ（Ｄｉｇｉｔａｌ  Ａｎａｌｏｇ  Ｃｏｎｖｅｒｔｅｒ）１４、送信ＡＤＣ（Ａｎａｌｏｇ  Ｄｉｇｉｔａｌ  Ｃｏｎｖｅｒｔｅｒ）１５、受信ＡＤＣ（Ａｎａｌｏｇ  Ｄｉｇｉｔａｌ  Ｃｏｎｖｅｒｔｅｒ）１６、デジタル折返し部１７、受信処理部１８、ビットエラー（ＢＥＲ：Ｂｉｔ  Ｅｒｒｏｒ  Ｒａｔｅ（Ｒａｔｉｏ））測定部１９及び制御部２０を有する。
【００１４】
評価メモリ１１は、テストデータを保存する。テストデータは、例えば擬似ランダム符号のような予め定められたデータである。セレクタ１２は、制御部２０からの指示により、不図示の外部の無線装置へ送信するための送信データ又は評価メモリ１１に保存されたテストデータを選択して送信処理部１３に出力する。
【００１５】
送信処理部１３は、無線装置における送信のためのデジタル信号処理を行うものであり、送信データを変調し送信信号を生成する。送信処理部１３は、帯域制限フィルタ１３ａ、周波数配置部１３ｂ、アップサンプリングフィルタ１３ｃ、歪補償部１３ｄ及び誤差演算部１３ｅを有する。
【００１６】
帯域制限フィルタ１３ａは希望信号帯域外の信号成分を減衰させる。周波数配置部１３ｂは、帯域制限フィルタ１３ａの出力の周波数を使用周波数帯域に変換する。アップサンプリングフィルタ１３ｃは、周波数配置部１３ｂの出力をアップサンプリングする。歪補償部１３ｄは、歪補償部１３ｄの出力が不図示の電力増幅器で増幅される際に発生する信号歪を補償するため、アップサンプリングフィルタ１３ｃの出力に予歪を与える。誤差演算部１３ｅは、歪補償部１３ｄによる歪補償前の信号と歪補償後の信号との誤差を演算する。
【００１７】
送信ＤＡＣ１４は、歪補償後の送信信号をデジタルからアナログに変換する。送信ＡＤＣ１５は、アナログに変換された送信信号をアナログからデジタルに変換する。受信ＡＤＣ１６は、外部の無線装置から受信した受信信号をアナログからデジタルに変換する。
【００１８】
デジタル折返し部１７は、セレクタ１２で送信データが選択された場合、制御部２０の指示により送信ＡＤＣ１５で変換された送信信号又は受信ＡＤＣ１６で変換された受信信号を選択する。そして、デジタル折返し部１７は、送信ＡＤＣ１５で変換された送信信号を誤差演算部１３ｅに出力し、また、受信ＡＤＣ１６で変換された受信信号を受信処理部１８に出力する。
【００１９】
また、デジタル折返し部１７は、セレクタ１２でテストデータが選択された場合、制御部２０の指示により歪補償部１３ｄの出力を選択して誤差演算部１３ｅ及び受信処理部１８に出力する。このように、セレクタ１２及びデジタル折返し部１７は制御部２０からの指示により連動する。
【００２０】
受信処理部１８は、無線装置における受信のためのデジタル信号処理を行うものであり、受信信号を復調し受信データを生成する。受信処理部１８は、帯域制限フィルタ１８ａ、周波数配置部１８ｂ、ダウンサンプリングフィルタ１８ｃを有する。帯域制限フィルタ１８ａは帯域制限フィルタ１３ａと同様の機能を有する。周波数配置部１８ｂはベースバンドに周波数を変換する。ダウンサンプリングフィルタ１８ｃはデジタル折返し部１７の出力をダウンサンプリングする。
【００２１】
ＢＥＲ測定部１９は、セレクタ１２がテストデータを選択した場合、評価メモリ１１に格納されたテストデータを期待値とし読み出す。そして、ＢＥＲ測定部１９は、受信処理部１８で復調された受信データを評価メモリ１１から読み出したテストデータと期待値照合する。
【００２２】
制御部２０は、セレクタ１２及びデジタル折返し部１７の動作を制御する。具体的な動作については後述する。
【００２３】
次に、信号処理装置１の動作例を説明する。以下では、通常時の伝送経路と、テストモード時の伝送経路とに分けて説明する。
【００２４】
まず、通常時の伝送経路について、図２に基づいて説明する。図２は、本実施の形態に係る信号処理装置１の通常時の伝送経路を示す図である。
【００２５】
まず、セレクタ１２は、制御部２０からの指示により送信データを選択して送信処理部１３に出力する。そして、送信処理部１３に出力された送信データは、送信処理部１３の帯域制限フィルタ１３ａ、周波数配置部１３ｂ及びアップサンプリングフィルタ１３ｃで変調処理された後、歪補償部１３ｄ及び誤差演算部１３ｅに分配される。
【００２６】
歪補償部１３ｄから出力された送信信号は、送信ＤＡＣ１４でアナログ変換され不図示の電力増幅器で増幅された後、不図示のアンテナ及び送信ＡＤＣ１５に信号が分配される。そして、分配された送信信号は、送信ＡＤＣ１５でデジタル変換されデジタル折返し部１７に出力される。一方、無線装置が信号を受信した場合、受信信号は受信ＡＤＣ１６でデジタル変換されデジタル折返し部１７に出力される。
【００２７】
デジタル折返し部１７は、制御部２０からの指示により送信ＡＤＣ１５から出力された送信信号を選択して誤差演算部１３ｅに出力する。そして、誤差演算部１３ｅは、歪補償部１３ｄで歪補償される前の送信信号とデジタル折返し部１７から出力された送信信号との誤差を演算（通常処理）し、誤差が生じていないことを確認する。
【００２８】
また、デジタル折返し部１７は、制御部２０からの指示により受信ＡＤＣ１６から受信した受信信号を選択して受信処理部１８に出力する。受信処理部１８は受信信号を復調し、復調した受信データを無線装置内に出力する。なお、通常時の伝搬経路の場合、制御部２０はＢＥＲ測定部１９を制御しない。
【００２９】
次に、テストモード時の伝送経路を図３に基づいて説明する。図３は、本実施の形態に係る信号処理装置１のテストモード時の伝送経路を示す図である。
【００３０】
まず、セレクタ１２は、制御部２０からの指示により評価メモリ１１に格納されているテストデータを選択して送信処理部１３に出力する。そして、送信処理部１３に出力されたテストデータは通常時と同様に歪補償部１３ｄ及び誤差演算部１３ｅに分配される。
【００３１】
デジタル折返し部１７は、制御部２０からの指示により歪補償部１３ｄから出力された送信信号を選択して誤差演算部１３ｅ及び受信処理部１８に出力する。そして、誤差演算部１３ｅは、歪補償部１３ｄで歪補償される前の送信信号とデジタル折返し部１７から出力された送信信号との誤差を演算（通常処理）する。
【００３２】
ＢＥＲ測定部１９は、受信処理部１８で復調された受信データを読み込み、評価メモリ１１に格納されたテストデータを期待値として、受信データをテストデータと期待値照合する。
【００３３】
以上、本実施の形態では、信号処理装置１は、送信処理部１３及び受信処理部１８で変調、復調された信号をテストデータと期待値照合する。このため、信号処理装置１は、送信処理部１３及び受信処理部１８を一括に評価することが可能となり、不具合発生時の早急な不具合箇所の選別、非対象箇所への影響の有無、及び動作確認の試験工程の簡略化を実現することができる。さらに、信号処理装置１は装置内で自己評価ができるため、装置設置時において他の機器を要しない自己診断機能を実現することが可能となる。
【００３４】
また、本実施の形態に係る信号処理装置１は、無線基地局や移動局などの無線装置に適用することができる。移動局としては、携帯電話機等の携帯型の無線端末や、自動車電話機等の移動物体に搭載される無線端末等が挙げられる。
【符号の説明】
【００３５】
１  信号処理装置、１１  評価メモリ（保存部）、１２  セレクタ、１３  送信処理部、１３ａ及び１８ａ  帯域制限フィルタ、１３ｂ及び１８ｂ  周波数配置部、１３ｃ  アップサンプリングフィルタ、１３ｄ  歪補償部、１３ｅ  誤差演算部、１４  送信ＤＡＣ、１５  送信ＡＤＣ、１６  受信ＡＤＣ、１７  （デジタル）折返し部、１８  受信処理部、１８ｃ  ダウンサンプリングフィルタ、１９  ＢＥＲ測定部、２０  制御部。
【図１】
2012044432.tif 000003
【図２】
2012044432.tif 000004
【図３】
2012044432.tif 000005